(57)【特許請求の範囲】
【請求項１】
熱供給装置の排熱にて加熱された湯水を貯湯タンクに貯湯自在な貯湯手段と、前記貯湯タンクの湯水を補助加熱装置を通過させ、その通過後の湯水に対して水を混合可能な状態で給湯利用箇所に供給自在な給湯手段と、同一の補助加熱装置にて加熱された湯水を熱消費用熱交換器に循環供給自在な熱消費循環供給手段と、前記補助加熱装置の加熱作動、並びに、前記給湯手段及び前記熱消費循環供給手段の作動を制御する運転制御手段とが備えられている熱供給設備であって、
前記運転制御手段は、前記補助加熱装置による目標加熱温度を給湯設定温度に対応する第１目標温度に設定して、前記給湯手段にて前記補助加熱装置を通過した湯水を前記給湯利用箇所に供給する給湯運転と、前記目標加熱温度を前記第１目標温度よりも高い熱消費設定温度に対応する第２目標温度に設定して、前記熱消費循環供給手段にて前記補助加熱装置を通過した湯水を前記熱消費用熱交換器に循環供給する熱消費運転とを実行可能であるとともに、前記給湯運転と前記熱消費運転とを同時に行う際に、前記貯湯タンクに前記給湯設定温度以上の湯水が存在する場合には、前記目標加熱温度を前記第２目標温度よりも低温側で且つ前記第１目標温度以上に設定する低温側設定制御を行うように構成されている熱供給設備。
【請求項２】
前記運転制御手段は、前記熱消費運転の実行中に前記給湯運転を開始して前記給湯運転と前記熱消費運転とを同時に行う際に、前記低温側設定制御において、前記給湯運転の実行中、前記目標加熱温度を前記第１目標温度に設定するように構成されている請求項１に記載の熱供給設備。
【請求項３】
前記運転制御手段は、前記熱消費運転の実行中に前記給湯運転を開始して前記給湯運転と前記熱消費運転とを同時に行う際に、前記低温側設定制御において、前記給湯運転の実行中、前記目標加熱温度を前記第１目標温度と前記第２目標温度との間の温度に設定するように構成されている請求項１に記載の熱供給設備。
【請求項４】
前記運転制御手段は、前記熱消費運転の実行中に前記給湯運転を開始して前記給湯運転と前記熱消費運転とを同時に行う際に、前記低温側設定制御において、前記目標加熱温度を前記第２目標温度よりも低温側で且つ前記第１目標温度以上に設定した状態が設定継続時間継続されると、前記目標加熱温度を前記第２目標温度に変更設定するように構成されている請求項２又は３に記載の熱供給設備。
【請求項５】
前記運転制御手段は、前記給湯運転の実行中に前記熱消費運転を開始して前記給湯運転と前記熱消費運転とを同時に行う際に、前記低温側設定制御において、前記目標加熱温度を前記第２目標温度に設定したのち設定時間が経過すると、前記目標加熱温度を前記第１目標温度に変更設定するように構成されている請求項１〜４の何れか１項に記載の熱供給設備。
【請求項６】
前記運転制御手段は、前記給湯運転の実行中に前記熱消費運転を開始して前記給湯運転と前記熱消費運転とを同時に行う際に、前記低温側設定制御において、前記目標加熱温度を前記第２目標温度に設定したのち設定時間が経過すると、前記目標加熱温度を前記第１目標温度と前記第２目標温度との間の温度に変更設定するように構成されている請求項１〜４の何れか１項に記載の熱供給設備。
【発明の詳細な説明】
【技術分野】
【０００１】
本発明は、熱供給装置の排熱にて加熱された湯水を貯湯タンクに貯湯自在な貯湯手段と、前記貯湯タンクの湯水を補助加熱装置を通過させ、その通過後の湯水に対して水を混合可能な状態で給湯利用箇所に供給自在な給湯手段と、同一の補助加熱装置にて加熱された湯水を熱消費用熱交換器に循環供給自在な熱消費循環供給手段と、前記補助加熱装置の加熱作動、並びに、前記給湯手段及び前記熱消費循環供給手段の作動を制御する運転制御手段とが備えられている熱供給設備に関する。
【背景技術】
【０００２】
上記のような熱供給設備は、燃料電池やガスエンジン等の熱供給装置の排熱にて加熱された湯水を貯湯タンクに貯湯し、その貯湯タンクに貯湯されている湯水を利用して給湯利用箇所への給湯を行うとともに、熱消費用熱交換器に補助加熱装置にて加熱された湯水を循環供給することで、暖房端末等の熱消費部での熱消費を行うものである。
【０００３】
従来の熱供給設備では、給湯手段が、補助加熱装置を通過した湯水に対して水を混合させる混合部を備えており、この混合部にて補助加熱装置を通過した湯水に対して水を混合させることで、給湯設定温度の湯水を給湯利用箇所に供給するように構成されている。そして、暖房端末等の熱消費部と熱消費用熱交換器の間では、熱媒体が循環されており、熱消費用熱交換器にて加熱された熱媒体が熱消費部に循環供給されて、熱消費部での熱消費を行うようになっている。運転制御手段は、給湯利用箇所から給湯要求があると、給湯手段にて補助加熱装置を通過した湯水を給湯利用箇所に供給する給湯運転を行い、暖房端末等の熱消費部から熱消費要求があると、熱消費循環供給手段にて補助加熱装置を通過した湯水を熱消費用熱交換器に循環供給する熱消費運転を行う（例えば、特許文献１参照。）。
【０００４】
この特許文献１に記載の設備では、給湯運転において、運転制御手段が、補助加熱装置による目標加熱温度を給湯利用箇所にて要求されている給湯設定温度よりも高い第１目標温度とし、補助加熱装置を通過した湯水の温度がその第１目標温度になるように補助加熱装置の作動を制御している。これにより、貯湯タンクに貯湯されている湯水の温度が給湯設定温度よりも低い場合でも、補助加熱装置の加熱作動によって補助加熱装置を通過した湯水の温度を給湯設定温度よりも高い第１目標温度とし、この補助加熱装置を通過した湯水に対して混合部による水の混合量を調整して、給湯設定温度の湯水を給湯利用箇所に供給している。また、貯湯タンクに貯湯されている湯水の温度が給湯設定温度よりも高い場合には、運転制御手段が、補助加熱装置を加熱作動させずに、そのまま補助加熱装置を通過させ、補助加熱装置を通過した湯水をそのまま、或いは、補助加熱装置を通過した湯水に対して混合部による水の混合量を調整して、給湯設定温度の湯水を給湯利用箇所に供給している。
【０００５】
暖房端末等の熱消費部では、給湯利用箇所にて要求されている給湯設定温度（例えば、４０℃程度）よりも高い熱消費設定温度（例えば、６０〜８０℃程度）が要求されている。そこで、上記特許文献１に記載の設備では、熱消費運転において、運転制御手段が、補助加熱装置による目標加熱温度を第１目標温度よりも高い熱消費設定温度に対応する第２目標温度（例えば、８０℃程度）とし、熱消費循環供給手段にて補助加熱装置にて第２目標温度に加熱された湯水を熱消費用熱交換器に循環供給している。
【０００６】
そして、上記特許文献１に記載の設備では、給湯運転と熱消費運転とを同時に行う際に、貯湯タンクに給湯設定温度よりも高温の第１の所定温度（例えば５０℃）以上の湯水があるか否かを判別し、貯湯タンクに第１の所定温度（例えば５０℃）以上の湯水があると、補助加熱装置による目標加熱温度を、暖房運転等の熱消費運転の条件である第２目標温度（例えば、８０℃程度）に設定している。
【先行技術文献】
【特許文献】
【０００７】
【特許文献１】特開２００４−２５７３６７号公報
【発明の概要】
【発明が解決しようとする課題】
【０００８】
上記特許文献１に記載の設備では、上述の如く、給湯運転と熱消費運転とを同時に行う際に、貯湯タンクに貯湯されている湯水の温度が給湯設定温度以上である場合には、補助加熱装置による目標加熱温度を第２目標温度（例えば、８０℃程度）に設定している。これにより、補助加熱装置を通過した第２目標温度の湯水の一部が、給湯手段にて給湯利用箇所に供給されるとともに、補助加熱装置を通過した第２目標温度の湯水の残りの一部が、熱消費循環供給手段にて熱消費用熱交換器に供給される。ここで、補助加熱装置を通過した第２目標温度の湯水の一部が、給湯手段にて給湯利用箇所に供給されるわけであるが、このとき、給湯設定温度以上の湯水を、補助加熱装置にてそれよりもかなり高温の第２目標温度まで加熱したのち、多量の水を混合させて給湯設定温度まで温度低下させることになる。したがって、貯湯タンクには、補助加熱装置にて加熱しなくても、給湯利用箇所にそのまま供給可能な給湯設定温度以上の湯水が貯湯されているにもかかわらず、補助加熱装置にてかなり高温の第２目標温度まで無駄に加熱することになり、補助加熱装置でのエネルギー消費量の増大を招くとともに、貯湯タンクに貯湯されている湯水を有効に活用できていなかった。
【０００９】
本発明は、かかる点に着目してなされたものであり、その目的は、給湯運転と熱消費運転とを同時に行う際に、貯湯タンクに貯湯されている湯水を有効に活用して、省エネ性の向上を図りながら、給湯利用箇所への給湯及び熱消費部等での熱消費を行うことができる熱供給設備を提供する点にある。
【課題を解決するための手段】
【００１０】
この目的を達成するために、本発明に係る熱供給設備の特徴構成は、熱供給装置の排熱にて加熱された湯水を貯湯タンクに貯湯自在な貯湯手段と、前記貯湯タンクの湯水を補助加熱装置を通過させ、その通過後の湯水に対して水を混合可能な状態で給湯利用箇所に供給自在な給湯手段と、同一の補助加熱装置にて加熱された湯水を熱消費用熱交換器に循環供給自在な熱消費循環供給手段と、前記補助加熱装置の加熱作動、並びに、前記給湯手段及び前記熱消費循環供給手段の作動を制御する運転制御手段とが備えられている熱供給設備において、
前記運転制御手段は、前記補助加熱装置による目標加熱温度を給湯設定温度に対応する第１目標温度に設定して、前記給湯手段にて前記補助加熱装置を通過した湯水を前記給湯利用箇所に供給する給湯運転と、前記目標加熱温度を前記第１目標温度よりも高い熱消費設定温度に対応する第２目標温度に設定して、前記熱消費循環供給手段にて前記補助加熱装置を通過した湯水を前記熱消費用熱交換器に循環供給する熱消費運転とを実行可能であるとともに、前記給湯運転と前記熱消費運転とを同時に行う際に、前記貯湯タンクに前記給湯設定温度以上の湯水が存在する場合には、前記目標加熱温度を前記第２目標温度よりも低温側で且つ前記第１目標温度以上に設定する低温側設定制御を行うように構成されている点にある。
【００１１】
本特徴構成によれば、給湯運転では、補助加熱装置による目標加熱温度を給湯設定温度に対応する第１目標温度に設定しているので、運転制御手段が給湯運転を行うことにより、給湯手段にて補助加熱装置を通過した第１目標温度の湯水に対して水を混合させる等により、給湯設定温度の湯水を給湯利用箇所に供給することができる。そして、熱消費運転では、補助加熱装置による目標加熱温度を第１目標温度よりも高い熱消費設定温度に対応する第２目標温度に設定しているので、運転制御手段が熱消費運転を行うことにより、熱消費循環供給手段にて補助加熱装置を通過した第２目標温度の湯水を熱消費用熱交換器に供給することができる。これにより、例えば、熱消費用熱交換器と暖房端末等の熱消費部との間で熱媒体を循環させる設備では、熱消費用熱交換器にて加熱された熱媒体が熱消費部に循環供給されて、熱消費部での熱消費を行うことができる。
【００１２】
また、本特徴構成によれば、給湯運転と熱消費運転とを同時に行う場合には、貯湯タンクに給湯設定温度以上の湯水が存在すると、運転制御手段が、目標加熱温度を第２目標温度よりも低温側で且つ前記第１目標温度以上に設定する低温側設定制御を行う。この低温側設定制御を行うことで、上記特許文献１に記載の設備の如く、目標加熱温度を第２目標温度に設定するよりも、目標加熱温度と貯湯タンクの湯水の温度との温度差を小さくでき、例えば、低温側設定制御にて目標温度を第１目標温度に設定すると、目標加熱温度よりも貯湯タンクの湯水の温度の方が高温となっている場合もある。これにより、補助加熱装置にて湯水を加熱する場合に、第２目標温度のようなかなり高温まで補助加熱装置にて加熱する必要がなく、補助加熱装置による目標加熱温度と貯湯タンクの湯水の温度との温度差が小さくなっていることから、補助加熱装置でのエネルギー消費量の低減を図りながら、給湯設定温度の湯水を給湯利用箇所に供給できる。また、補助加熱装置による目標加熱温度よりも貯湯タンクの湯水の温度の方が高温となっていると、補助加熱装置にて加熱することなく、給湯設定温度の湯水を給湯利用箇所に供給できる。したがって、給湯運転と熱消費運転とを同時に行う際に、貯湯タンクに貯湯されている湯水を有効に活用して、省エネ性の向上を図りながら、給湯利用箇所への給湯及び熱消費部等での熱消費を行うことができる熱供給設備を実現できる。
【００１３】
ここで、給湯運転と前記熱消費運転とを同時に行う際に、貯湯タンクに給湯設定温度以上の湯水が存在する場合に、低温側設定制御を行うという運転形態が可能となるのは、熱消費運転がある程度大きな熱容量で熱応答性の小さい受熱体を対象とするため、この熱消費運転において、給湯運転は比較的短時間となるので、熱消費用運転用である第２目標温度よりも低温側で且つ給湯運転用である第１目標温度以上の目標値を補助加熱装置による目標加熱温度として使用しても、熱消費運転に与える影響が小さいためである。
【００１４】
本発明に係る熱供給設備の更なる特徴構成は、前記運転制御手段は、前記熱消費運転の実行中に前記給湯運転を開始して前記給湯運転と前記熱消費運転とを同時に行う際に、前記低温側設定制御において、前記給湯運転の実行中、前記目標加熱温度を前記第１目標温度に設定するように構成されている点にある。
【００１５】
本特徴構成によれば、熱消費運転の実行中に給湯運転を開始することで給湯運転と熱消費運転とを同時に行う場合には、運転制御手段が、低温側設定制御において、給湯運転の実行中、目標加熱温度を第１目標温度に設定しているので、給湯運転の実行中は、目標加熱温度と貯湯タンクの湯水の温度との温度差を小さくできる、或いは、目標加熱温度よりも貯湯タンクの湯水の温度の方を高温とすることができ、貯湯タンクに貯湯されている湯水を有効に活用して、補助加熱装置でのエネルギー消費量の低減を適切に図りながら、給湯利用箇所への給湯を行うことができる。そして、この目標加熱温度を第１目標温度に設定するのは、給湯運転の実行中であるので、運転制御手段は、給湯運転を停止すると、目標加熱温度を第２目標温度に設定することができ、熱消費循環供給手段にて補助加熱装置を通過した第２目標温度の湯水を熱消費用熱交換器に供給して、熱消費部等での熱消費を適切に行うことができる。
【００１６】
本発明に係る熱供給設備の更なる特徴構成は、前記運転制御手段は、前記熱消費運転の実行中に前記給湯運転を開始して前記給湯運転と前記熱消費運転とを同時に行う際に、前記低温側設定制御において、前記給湯運転の実行中、前記目標加熱温度を前記第１目標温度と前記第２目標温度との間の温度に設定するように構成されている点にある。
【００１７】
本特徴構成によれば、熱消費運転の実行中に給湯運転を開始することで給湯運転と熱消費運転とを同時に行う場合には、運転制御手段が、低温側設定制御において、給湯運転の実行中、目標加熱温度を第１目標温度と第２目標温度との間の温度に設定しているので、給湯運転の実行中は、目標加熱温度と貯湯タンクの湯水の温度との温度差を小さくでき、貯湯タンクに貯湯されている湯水を有効に活用して、補助加熱装置でのエネルギー消費量の低減を適切に図りながら、給湯利用箇所への給湯を行うことができる。そして、この目標加熱温度を第１目標温度と第２目標温度との間の温度に設定するのは、給湯運転の実行中であるので、運転制御手段は、給湯運転を停止すると、目標加熱温度を第２目標温度に設定することができ、熱消費循環供給手段にて補助加熱装置を通過した第２目標温度の湯水を熱消費用熱交換器に供給して、熱消費部等での熱消費を適切に行うことができる。
【００１８】
本発明に係る熱供給設備の更なる特徴構成は、前記運転制御手段は、前記熱消費運転の実行中に前記給湯運転を開始して前記給湯運転と前記熱消費運転とを同時に行う際に、前記低温側設定制御において、前記目標加熱温度を前記第２目標温度よりも低温側で且つ前記第１目標温度以上に設定した状態が設定継続時間継続されると、前記目標加熱温度を前記第２目標温度に変更設定するように構成されている点にある。
【００１９】
上述の如く、補助加熱装置による目標加熱温度を第２目標温度よりも低温側で且つ第１目標温度以上に設定すると、熱消費用熱交換器に供給される湯水の温度が低下することになるので、補助加熱装置による目標加熱温度を第２目標温度よりも低温側で且つ第１目標温度以上に設定した状態が長時間継続されると、熱消費部等での熱消費を適切に行えなくなる可能性がある。そこで、本特徴構成によれば、運転制御手段は、低温側設定制御において、補助加熱装置による目標加熱温度を第２目標温度よりも低温側で且つ第１目標温度以上に設定した状態が設定継続時間継続されると、補助加熱装置による目標加熱温度を第２目標温度に変更設定しているので、熱消費用熱交換器に循環供給する湯水の温度を第２目標温度とし、熱消費部等での熱消費を適切に行える。したがって、給湯運転と熱消費運転とを同時に行う際に、貯湯タンクに貯湯されている湯水を有効に活用して、省エネ性の向上を図りながら、給湯利用箇所への給湯を行い、しかも、熱消費部等での熱消費をも適切に行うことができる。
【００２０】
本発明に係る熱供給設備の更なる特徴構成は、前記運転制御手段は、前記給湯運転の実行中に前記熱消費運転を開始して前記給湯運転と前記熱消費運転とを同時に行う際に、前記低温側設定制御において、前記目標加熱温度を前記第２目標温度に設定したのち設定時間が経過すると、前記目標加熱温度を前記第１目標温度に変更設定するように構成されている点にある。
【００２１】
本特徴構成によれば、給湯運転の実行中に熱消費運転を開始することで給湯運転と熱消費運転とを同時に行う場合には、運転制御手段が、低温側設定制御において、まず、補助加熱装置による目標加熱温度を第２目標温度に設定するので、熱消費運転を開始した当初は、熱消費用熱交換器に循環供給する湯水の温度を第２目標温度として、熱消費部等での熱消費を適切に行えることになる。そして、運転制御手段は、低温側設定制御において、目標加熱温度を第２目標温度に設定したのち設定時間が経過すると、目標加熱温度を第１目標温度に変更設定するので、目標加熱温度と貯湯タンクの湯水の温度との温度差を小さくでき、或いは、目標加熱温度よりも貯湯タンクの湯水の温度の方を高温とすることができ、貯湯タンクに貯湯されている湯水を有効に活用して、補助加熱装置でのエネルギー消費量の低減を適切に図りながら、給湯利用箇所への給湯を行うことができる。
【００２２】
本発明に係る熱供給設備の更なる特徴構成は、前記運転制御手段は、前記給湯運転の実行中に前記熱消費運転を開始して前記給湯運転と前記熱消費運転とを同時に行う際に、前記低温側設定制御において、前記目標加熱温度を前記第２目標温度に設定したのち設定時間が経過すると、前記目標加熱温度を前記第１目標温度と前記第２目標温度との間の温度に変更設定するように構成されている点にある。
【００２３】
本特徴構成によれば、給湯運転の実行中に熱消費運転を開始することで給湯運転と熱消費運転とを同時に行う場合には、運転制御手段が、低温側設定制御において、まず、補助加熱装置による目標加熱温度を第２目標温度に設定するので、熱消費運転を開始した当初は、熱消費用熱交換器に循環供給する湯水の温度を第２目標温度として、熱消費部等での熱消費を適切に行えることになる。そして、運転制御手段は、低温側設定制御において、目標加熱温度を第２目標温度に設定したのち設定時間が経過すると、目標加熱温度を第１目標温度と第２目標温度との間の温度に変更設定するので、目標加熱温度と貯湯タンクの湯水の温度との温度差を小さくでき、貯湯タンクに貯湯されている湯水を有効に活用して、補助加熱装置でのエネルギー消費量の低減を適切に図りながら、給湯利用箇所への給湯を行うことができる。
【図面の簡単な説明】
【００２４】
【図１】熱供給設備の概略構成、及び、貯湯運転での流体の通流状態を示す図
【図２】熱供給設備の概略構成、及び、給湯運転での流体の通流状態を示す図
【図３】熱供給設備の概略構成、及び、暖房運転での流体の通流状態を示す図
【図４】熱供給設備の概略構成、及び、追焚運転での流体の通流状態を示す図
【図５】熱供給設備の概略構成、及び、給湯運転と暖房運転とを同時に行う場合の流体の通流状態を示す図
【図６】低温側設定制御における動作を示すフローチャート
【図７】低温側設定制御における動作を示すフローチャート
【発明を実施するための形態】
【００２５】
本発明に係る熱供給設備の実施形態について、図面に基づいて説明する。
〔第１実施形態〕
この熱供給設備は、図１〜図５に示すように、熱供給装置１の排熱にて加熱された湯水を貯湯タンク２に貯湯自在な貯湯手段Ａ（図１参照）と、貯湯タンク２の湯水を補助加熱装置３を通過させ、その通過後の湯水に対して水を混合可能な状態で給湯利用箇所４、１０に供給自在な給湯手段Ｂ（図２参照）と、同一の補助加熱装置３にて加熱された湯水を熱消費用熱交換器５に循環供給自在な熱消費循環供給手段Ｃ（図３及び図４参照）と、補助加熱装置３の加熱作動、並びに、貯湯手段Ａ、給湯手段Ｂ及び熱消費循環供給手段Ｃの作動を制御する運転制御手段Ｄとを備えて構成されている。図１〜図５は、いずれも熱供給設備の概略構成を示す図であるが、図１〜図５の夫々において、湯水や熱媒体等が通流する箇所を太線にて示している。
【００２６】
熱供給装置１は、例えば、都市ガスを燃料とする燃料電池であるので、以下、熱供給装置を燃料電池１と呼称する。ちなみに、熱供給装置については、燃料電池に限らず、都市ガスを燃料とするガスエンジンとすることもでき、その他、各種の熱供給装置を適応することができる。貯湯手段Ａは、図１中太線にて示すように、貯湯タンク２の湯水を燃料電池１に供給し、燃料電池１の排熱にて湯水を加熱させ、その加熱された湯水を貯湯タンク２に戻して燃料電池１の排熱にて加熱された湯水を貯湯タンク２に貯湯するように構成されている。
【００２７】
給湯手段Ｂは、図２中太線にて示すように、貯湯タンク２から取り出した湯水を補助加熱装置３を通過させて補助加熱装置３にて加熱可能とするとともに、補助加熱装置３を通過した湯水に対して水を混合させて湯水の温度を給湯利用箇所４、１０にて要求されている給湯設定温度とし、給湯設定温度の湯水を給湯利用箇所４、１０に供給するように構成されている。ここで、給湯利用箇所は、給湯栓４及び浴槽１０としているが、その他の箇所を適応することもできる。
【００２８】
熱消費循環供給手段Ｃは、図３及び図４中太線にて示すように、補助加熱装置３にて加熱された湯水を熱消費用熱交換器５に循環供給するとともに、熱消費用熱交換器５において熱消費用熱交換器５と熱消費部９、１０との間で循環される熱媒体を加熱し、その加熱された熱媒体を熱消費部９、１０に循環供給して熱消費部９、１０での熱消費を行うように構成されている。ここで、熱消費用熱交換器５は、熱消費部との間で循環される熱媒体を加熱するためのものであるが、熱消費部として、暖房を行う暖房端末９と追焚を行う浴槽１０とが備えられている。したがって、熱消費用熱交換器５として、暖房端末９との間で循環される熱媒体を加熱するための第１熱消費用熱交換器５ａと、浴槽１０との間で循環される熱媒体を加熱するための第２熱消費用熱交換器５ｂとが備えられている。
【００２９】
貯湯タンク２は、密閉型のタンクにて構成されており、高温の湯水が上方側に存在するとともに、低温の湯水が下方側に存在して温度成層を形成する状態で湯水を貯留するように構成されている。この貯湯タンク２には、貯湯タンク２内の湯水の温度を検出するサーミスタとして、上方側から順に、第１サーミスタＴ１、第２サーミスタＴ２、第３サーミスタＴ３、第４サーミスタＴ４が備えられている。そして、第１〜第４サーミスタＴ１〜Ｔ４の夫々の検出情報が運転制御手段Ｄに入力自在に構成されており、運転制御手段Ｄは、それら第１〜第４サーミスタＴ１〜Ｔ４の検出情報に基づいて、貯湯タンク２の湯水の温度や所望温度の湯水の貯湯量を把握するように構成されている。
【００３０】
補助加熱装置３は、ガス燃焼式のバーナ６と、そのバーナ６の燃焼により湯水を加熱するバーナ加熱式熱交換器７とを備えて構成されている。補助加熱装置３は、バーナ６に対する燃料ガスの供給量等を調整することで、補助加熱装置３にて加熱する湯水の温度を調整自在に構成されている。そして、運転制御手段Ｄが、補助加熱装置３を通過した湯水の温度が所望の目標加熱温度になるように、補助加熱装置３の加熱作動を制御している。
【００３１】
この熱供給設備では、湯水や熱媒体等の流体を通流させる複数の流路部位が備えられており、これら複数の流路部位を組み合わせて、貯湯タンク２の湯水を循環させる流路、貯湯タンク２の湯水を給湯利用箇所４に供給する流路、及び、補助加熱装置３と熱消費用熱交換器５との間で湯水を循環させる流路等が構成されている。
そこで、以下、複数の流路部位の夫々について説明する。
【００３２】
貯湯タンク２の下部には、貯湯タンク２の湯水を通流させる第１流路部位Ｒ１が接続されており、その第１流路部位Ｒ１の他端部が燃料電池１の入口側に接続されている。第１流路部位Ｒ１には、湯水の通流方向の順に、ラジエータ８に供給される湯水の温度を検出する第５サーミスタＴ５、ラジエータ８、ラジエータ８を通過した湯水の温度を検出する第６サーミスタＴ６、第１循環ポンプＰ１が備えられている。この第１流路部位Ｒ１は、貯湯タンク２の下部から取り出した湯水を燃料電池１に供給可能となっている。
【００３３】
燃料電池１の出口側には、燃料電池１を通過した湯水を通流させる第２流路部位Ｒ２が接続されており、その第２流路部位Ｒ２の他端部が貯湯タンク２の上部に接続されている。第２流路部位Ｒ２には、湯水の通流方向の順に、貯湯タンク２に供給する湯水の温度を検出する第７サーミスタＴ７が備えられている。この第２流路部位Ｒ２は、燃料電池１の排熱にて加熱された湯水を貯湯タンク２の上部に供給可能となっている。
【００３４】
貯湯タンク２の下部には、第１流路部位Ｒ１とは別に、水が給水される第４流路部位Ｒ４が接続されている。第４流路部位Ｒ４には、水の通流方向の順に、第１減圧弁Ｅ１、貯湯タンク２に給水する水の温度を検出する第８サーミスタＴ８、通流する水の水量を検出する第１水量センサＦ１、第１逆止弁Ｇ１が備えられている。この第４流路部位Ｒ４は、貯湯タンク２の下部に水を給水可能となっている。
【００３５】
貯湯タンク２の上部には、第２流路部位Ｒ２とは別に、貯湯タンク２の湯水を通流させる第５流路部位Ｒ５が接続されており、その第５流路部位Ｒ５の他端部が補助加熱装置３の入口側に接続されている。第５流路部位Ｒ５には、湯水の通流方向の順に、第２三方弁Ｈ２、補助加熱装置３に供給される湯水の水量を検出する第２水量センサＦ２、補助加熱装置３に供給される湯水の温度を検出する第９サーミスタＴ９が備えられている。この第５流路部位Ｒ５は、貯湯タンク２の上部から湯水を取り出し、その取り出した湯水を補助加熱装置３に供給可能となっている。
【００３６】
補助加熱装置３の出口側には、補助加熱装置３を通過した湯水を通流させる第６流路部位Ｒ６が接続されており、その第６流路部位Ｒ６の他端部が給湯栓４に接続されている。第６流路部位Ｒ６には、湯水の通流方向の順に、補助加熱装置３を通過した湯水の温度を検出する第１０サーミスタＴ１０、通流する湯水の流量を調整自在な第１比例弁Ｊ１、給湯利用箇所４に供給する湯水の温度を検出する第１１サーミスタＴ１１、第２逆止弁Ｇ２が備えられている。この第６流路部位Ｒ６は、補助加熱装置３を通過した湯水を給湯栓４に供給可能となっている。
【００３７】
第６流路部位Ｒ６において第１０サーミスタＴ１０と第１比例弁Ｊ１との間の部位には、補助加熱装置３を通過した湯水を通流させる第７流路部位Ｒ７が接続され、その第７流路部位Ｒ７の他端部が第５流路部位Ｒ５の第２三方弁Ｈ２に接続されている。第７流路部位７には、湯水の通流方向の順に、第３三方弁Ｈ３、第１熱消費用熱交換器５ａ、第２循環ポンプＰ２が備えられている。この第７流路部位Ｒ７は、補助加熱装置３を通過した湯水を第１熱消費用熱交換器５ａに供給し、第１熱消費用熱交換器５ａを通過した湯水を第５流路部位Ｒ５の一部を介して補助加熱装置３に戻すことが可能となっている。
【００３８】
第７流路部位Ｒ７の第３三方弁Ｈ３には、補助加熱装置３を通過した湯水を通流させる第８流路部位Ｒ８が接続されており、その第８流路部位Ｒ８の他端部が第７流路部位Ｒ７において第１熱消費用熱交換器５ａと第２循環ポンプＰ２との間の部位に接続されている。第８流路部位Ｒ８には、その途中部位に第２熱消費用熱交換器５ｂが備えられている。この第８流路部位Ｒ８は、補助加熱装置３を通過した湯水を第２熱消費用熱交換器５ｂに供給し、第２熱消費用熱交換器５ｂを通過した湯水を第７流路部位Ｒ７の一部及び第５流路部位Ｒ５の一部を介して補助加熱装置３に戻すことが可能となっている。
【００３９】
第１熱消費用熱交換器５ａの出口側には、第７流路部位Ｒ７とは別に、熱媒体を通流させる第９流路部位Ｒ９が接続されており、その第９流路部位Ｒ９の他端部が暖房端末９の入口側に接続されている。第９流路部位Ｒ９には、熱媒体の通流方向の順に、暖房端末９に供給する熱媒体の温度を検出する第１２サーミスタＴ１２、熱媒体の通流を断続自在な第１開閉弁Ｋ１が備えられている。この第９流路部位Ｒ９は、第１熱消費用熱交換器５ａにおいて第７流路部位Ｒ７の湯水にて加熱された熱媒体を暖房端末９に供給可能となっている。
【００４０】
暖房端末９の出口側には、暖房端末９を通過した熱媒体を通流させる第１０流路部位Ｒ１０が接続されており、その第１０流路部位Ｒ１０の他端部が第１熱消費用熱交換器５ａの入口側に接続されている。第１０流路部位Ｒ１０には、熱媒体の通流方向の順に、暖房端末９を通過した熱媒体の温度を検出する第１３サーミスタＴ１３、大気開放型の膨張タンク１１、第３循環ポンプＰ３が備えられている。この第１０流路部位Ｒ１０は、暖房端末９を通過した熱媒体を第１熱消費用熱交換器５ａに供給可能となっている。
【００４１】
第９流路部位Ｒ９と第１０流路部位Ｒ１０とを接続する流路部位として、第９流路部位Ｒ９において第１２サーミスタＴ１２と第１開閉弁Ｋ１との間の部位と第１０流路部位Ｒ１０において暖房端末９の接続箇所と第１３サーミスタ１３との間の部位とを接続する第１１流路部位Ｒ１１が備えられ、その第１１流路部位Ｒ１１の途中部位に第２開閉弁Ｋ２が備えられている。また、第１１流路部位Ｒ１１に加えて、第９流路部位Ｒ９において第１２サーミスタＴ１２と第１１流路部位Ｒ１１の接続箇所との間の部位と第１０流路部位Ｒ１０において第１３サーミスタＴ１３と膨張タンク１１との間の部位を接続する第１２流路部位Ｒ１２が備えられている。
【００４２】
第２熱消費用熱交換器５ｂの出口側には、第８流路部位Ｒ８とは別に、熱媒体としての浴槽１０の湯水を通流させる第１３流路部位Ｒ１３が接続されており、その第１３流路部位Ｒ１３の他端部が浴槽１０の入口側に接続されている。第１３流路部位Ｒ１３には、その途中部位に第４循環ポンプＰ４が備えられている。この第１３流路部位１３は、第２熱消費用熱交換器５ｂにおいて第８流路部位Ｒ８の湯水にて加熱された浴槽１０の湯水を浴槽１０に供給可能となっている。
【００４３】
浴槽１０の出口側には、熱媒体としての浴槽１０の湯水を通流させる第１４流路部位Ｒ１４が接続されており、その第１４流路部位Ｒ１４の他端部が第２熱消費用熱交換器５ｂの出口側に接続されている。第１４流路部位Ｒ１４には、湯水の通流方向の順に、浴槽１０の水位を検出する水位センサ１２、浴槽１０の湯水の温度を検出する第１４サーミスタＴ１４、所定の水量が通流されることでＯＮとなる水流スイッチ１３が備えられている。この第１４流路部位Ｒ１４は、浴槽１０の湯水を第２熱消費用熱交換器５ｂに供給可能となっている。
【００４４】
補助加熱装置３を通過した湯水を浴槽１０にも供給可能とするために、第６流路部位Ｒ６において第１１サーミスタＴ１１と第２逆止弁Ｇ２との間の部位と第１４流路部位Ｒ１４において水流スイッチ１３と第２熱消費用熱交換器５ｂの接続箇所との間の部位とを接続する第１５流路部位Ｒ１５が備えられている。第１５流路部位Ｒ１５には、湯水の通流方向の順に、第３開閉弁Ｋ３、浴槽１０に供給する湯水の流量を検出する第３水量センサＦ３が備えられている。ちなみに、第１５流路部位Ｒ１５には、図示は省略するが、第６流路部位Ｒ６側への湯水の逆流を防止する逆止弁や、空気層を形成することで第１５流路部位Ｒ１５の湯水と第１４流路部位Ｒ１４の湯水との間での接触を阻止する機構等も備えられている。この第１５流路部位Ｒ１５は、補助加熱装置３を通過した湯水を第１４流路部位Ｒ１４及び第１３流路部位Ｒ１３を介して浴槽１０に供給可能となっている。
【００４５】
補助加熱装置３を通過した湯水に水を混合させる状態で給湯利用箇所である給湯栓４及び浴槽１０に供給可能とするために、貯湯タンク２に給水する第４流路部位Ｒ４において第１水量センサＦ１と第１逆止弁Ｇ１との間の部位と第６流路部位Ｒ６において第１比例弁Ｊ１と第１１サーミスタＴ１１との間の部位とを接続する第１６流路部位Ｒ１６が備えられている。第１６流路部位Ｒ１６には、水の通流方向の順に、第３逆止弁Ｇ３、通流する水の流量を調整自在な第２比例弁Ｊ２が備えられている。
【００４６】
運転制御手段Ｄには、複数のサーミスタの検出情報や複数の水量センサの検出情報等の各種の情報が入力自在に構成されている。運転制御手段Ｄは、入力される各種の情報に基づいて、三方弁、比例弁、及び、開閉弁等の各種の弁、及び、各循環ポンプ等の作動を制御するように構成されている。
運転制御手段Ｄは、上述の如く、各種の弁や各循環ポンプの作動を制御することで、この熱供給設備の運転を制御している。そして、運転制御手段Ｄは、貯湯手段Ａにて燃料電池１の排熱にて加熱された湯水を貯湯タンク２に貯湯する貯湯運転と、給湯手段Ｂにて補助加熱装置３を通過した湯水を給湯栓４や浴槽１０に供給する給湯運転と、熱消費循環供給手段Ｃにて補助加熱装置３を通過した湯水を熱消費用熱交換器５に循環供給するとともに、熱消費部９、１０と熱消費用熱交換器５との間の熱媒体を循環させる熱消費運転とを実行可能に構成されている。運転制御手段Ｄは、熱消費運転として、熱消費循環供給手段Ｃにて補助加熱装置３を通過した湯水を第１熱消費用熱交換器５ａに循環供給するとともに、暖房端末９と第１熱消費用熱交換器５ａとの間の熱媒体を循環させる暖房運転と、熱消費循環供給手段Ｃにて補助加熱装置３を通過した湯水を第２熱消費用熱交換器５ｂに循環供給するとともに、浴槽１０と第２熱消費用熱交換器５ｂとの間の熱媒体を循環させる追焚運転とを実行可能に構成されている。
以下、各運転について説明する。
【００４７】
（貯湯運転）
運転制御手段Ｄは、例えば、燃料電池１を作動させているときに第４サーミスタＴ４の検出温度が所望温度未満である等、貯湯運転の開始条件が満たされると、貯湯運転を開始する。そして、運転制御手段Ｄは、図１中太線にて示すように、第１循環ポンプＰ１を作動させ、第１流路部位Ｒ１及び第２流路部位Ｒ２によって、貯湯タンク２の下部から取り出した湯水を燃料電池１に供給して燃料電池１の排熱にて加熱し、その燃料電池１の排熱にて加熱された湯水を貯湯タンク２の上部に戻して貯湯タンク２に所望温度の湯水を貯湯している。ここで、運転制御手段Ｄは、第７サーミスタＴ７の検出温度が所望温度になるように、第１循環ポンプＰ１の回転速度を制御しており、燃料電池１の排熱にて加熱された所望温度の湯水を貯湯タンク２に貯湯するようにしている。運転制御手段Ｄは、例えば、第４サーミスタＴ４の検出温度が設定温度以上となる等、貯湯運転の停止条件が満たされると、貯湯運転を停止する。
【００４８】
（給湯運転）
運転制御手段Ｄは、給湯栓４が開操作される或いは図外のリモコンの湯張りスイッチがＯＮ操作される等、給湯利用箇所４、１０から給湯要求が要求されると、給湯運転を開始する。そして、運転制御手段Ｄは、図２中太線にて示すように、給湯栓４の開操作により給湯要求が要求されると、上水の圧力を用いて、第５流路部位Ｒ５及び第６流路部位Ｒ６によって、貯湯タンク２の上部から取り出した湯水を補助加熱装置３を通過させて給湯栓４に供給している。このとき、運転制御手段Ｄは、補助加熱装置３による目標加熱温度を給湯栓４にて要求されている給湯設定温度（例えば、図外のリモコンによる給湯設定温度の４０℃程度）に対応する第１目標温度（例えば、給湯設定温度よりも所定温度だけ高い温度）に設定している。これにより、運転制御手段Ｄは、第９サーミスタＴ９の検出温度が第１目標温度未満であると、補助加熱装置３を加熱作動させるとともに、補助加熱装置３を通過した湯水の温度である第１０サーミスタＴ１０の検出温度が第１目標温度になるようにバーナ６の燃焼量を調整して補助加熱装置３の加熱作動を制御している。また、運転制御手段Ｄは、第９サーミスタＴ９の検出温度が第１目標温度以上であると、補助加熱装置３を加熱作動させずに、補助加熱装置３にて加熱することなく湯水を通過させている。そして、運転制御手段Ｄは、給湯栓４に供給する湯水の温度である第１１サーミスタＴ１１の検出温度が給湯設定温度となるように、第１比例弁Ｊ１及び第２比例弁Ｊ２の開度を調整して、補助加熱装置３を通過した湯水に対する第１６流路部位Ｒ１６からの水の混合量を調整している。このときには、運転制御手段Ｄが、給湯栓４が閉操作されて給湯要求がなくなると、給湯運転を停止する。
【００４９】
また、運転制御手段Ｄは、図外のリモコンの湯張りスイッチがＯＮ操作されることにより給湯要求が要求されると、浴槽１０に湯水を供給するのであるが、上述の給湯栓４に湯水を供給する場合と同様に、第５流路部位Ｒ５及び第６流路部位Ｒ６によって、貯湯タンク２の上部から取り出した湯水を補助加熱装置３を通過させ、第１１サーミスタＴ１１の検出温度が給湯設定温度となるように、第１比例弁Ｊ１及び第２比例弁Ｊ２の開度を調整して、補助加熱装置３を通過した湯水に対する第１６流路部位Ｒ１６からの水の混合量を調整している。そして、運転制御手段Ｄは、第３開閉弁Ｋ３を開動作させて、給湯設定温度の湯水を第１５流路部位Ｒ１５、第１４流路部位Ｒ１４、及び、第１３流路部位１３を通して浴槽１０に供給している。このときには、運転制御手段Ｄが、第３水量センサＦ３の検出情報から浴槽１０に供給した湯水の供給量を把握しており、その湯水の供給量が設定供給量となると、第３開閉弁Ｋ３を閉動作させて、給湯運転を停止している。
【００５０】
（暖房運転）
運転制御手段Ｄは、暖房端末９の図外のリモコンの運転スイッチがＯＮ操作される等、暖房端末９から暖房要求（熱消費要求）が要求されると、暖房運転を開始する。そして、運転制御手段Ｄは、図３中太線にて示すように、第２循環ポンプＰ２を作動させて、補助加熱装置３を通過した湯水を第７流路部位Ｒ７に供給するように第３三方弁Ｈ３を切り換え、第６流路部位Ｒ６の一部、第７流路部位Ｒ７、第５流路部位Ｒ５の一部によって、補助加熱装置３にて加熱された湯水を第１熱消費用熱交換器５ａに循環供給している。また、運転制御手段Ｄは、第３循環ポンプＰ３を作動させて、第９流路部位Ｒ９、第１０流路部位Ｒ１０、第１２流路部位Ｒ１２によって、暖房端末９と第１熱消費用熱交換器５ａとの間で熱媒体を循環させている。このとき、運転制御手段Ｄは、補助加熱装置３による目標加熱温度を暖房端末９にて要求されている暖房用の熱消費設定温度（例えば、６０〜８０℃程度）に対応する暖房用の第２目標温度（例えば、暖房用の熱消費設定温度と同じ温度又はそれよりも所定温度だけ高い温度）に設定している。これにより、運転制御手段Ｄは、補助加熱装置３を加熱作動させるとともに、補助加熱装置３を通過した湯水の温度である第１０サーミスタＴ１０の検出温度が暖房用の第２目標温度になるようにバーナ６の燃焼量を調整して補助加熱装置３の加熱作動を制御している。したがって、第１熱消費用熱交換器５ａには、補助加熱装置３にて加熱された暖房用の第２目標温度の湯水が供給されるとともに、暖房端末９からの熱媒体が供給されるので、暖房端末９からの熱媒体が補助加熱装置３にて加熱された湯水により加熱される。このようにして、第１熱消費用熱交換器５ａにて加熱された熱媒体を暖房端末９に循環供給して、暖房端末９での暖房を行うようにしている。
【００５１】
ちなみに、運転制御手段Ｄは、設定周期（例えば２０分間）が経過するごとに、暖房端末９での暖房負荷に応じて、次の設定周期内での第１開閉弁Ｋ１を開動作させる開時間と第１開閉弁Ｋ１を閉動作させる閉時間との長さを調整しており、暖房端末９での暖房負荷に応じた熱媒体の供給を行っている。このときには、暖房端末９の図外のリモコンの運転スイッチがＯＦＦ操作される等、暖房端末９からの暖房要求（熱消費要求）がなくなると、運転制御手段Ｄが、暖房運転を停止する
【００５２】
（追焚運転）
運転制御手段Ｄは、浴室の図外のリモコンの追焚スイッチがＯＮ操作される等、浴槽１０から追焚要求（熱消費要求）が要求されると、追焚運転を開始する。そして、運転制御手段Ｄは、図４中太線にて示すように、第２循環ポンプＰ２を作動させて、補助加熱装置３を通過した湯水を第８流路部位Ｒ８に供給するように第３三方弁Ｈ３を切り換え、第６流路部位Ｒ６の一部、第８流路部位Ｒ８、第５流路部位Ｒ５の一部によって、補助加熱装置３にて加熱された湯水を第３熱消費用熱交換器５ｂに循環供給している。また、運転制御手段Ｄは、第４循環ポンプＰ４を作動させて、第１４流路部位Ｒ１４及び第１３流路部位Ｒ１３によって、浴槽１０と第２熱消費用熱交換器５ｂとの間で熱媒体（浴槽１０の湯水）を循環させている。このとき、運転制御手段Ｄは、補助加熱装置３による目標加熱温度を浴槽１０にて要求されている追焚用の熱消費設定温度（例えば、４０℃程度）に対応する追焚用の第２目標温度（例えば、追焚用の熱消費設定温度よりも所定温度だけ高い温度）に設定している。ちなみに、追焚用の第２目標温度は、上述の第１目標温度よりも高い温度が設定されている。これにより、運転制御手段Ｄは、補助加熱装置３を加熱作動させるとともに、補助加熱装置３を通過した湯水の温度である第１０サーミスタＴ１０の検出温度が追焚用の第２目標温度になるようにバーナ６の燃焼量を調整して補助加熱装置３の加熱作動を制御している。したがって、第２熱消費用熱交換器５ｂには、補助加熱装置３にて加熱された追焚用の第２目標温度の湯水が供給されるとともに、浴槽１０からの熱媒体（浴槽１０の湯水）が供給されるので、浴槽１０からの熱媒体（浴槽１０の湯水）が補助加熱装置３にて加熱された湯水により加熱される。このようにして、第２熱消費用熱交換器５ｂにて加熱された熱媒体（浴槽１０の湯水）を浴槽１０に循環供給して、浴槽１０の湯水の追焚を行うようにしている。このときには、運転制御手段Ｄが、第１４サーミスタＴ１４の検出情報から浴槽１０の湯水の温度を把握しており、その湯水の温度が追焚用の設定温度となると、追焚運転を停止している。
【００５３】
本発明に係る熱供給設備では、給湯運転と熱消費運転とを同時に行う際に、貯湯タンク２に貯湯されている湯水を有効に活用して、省エネ性の向上を図りながら、給湯利用箇所４、１０への給湯及び熱消費部９、１０での熱消費を行うものである。そこで、給湯運転と熱消費運転とを同時に行う場合について説明する。
【００５４】
（給湯運転と熱消費運転とを同時に行う場合）
本願において発明の対象となる給湯運転と熱消費運転とを同時に行う場合として、給湯栓４に湯水を供給する給湯運転と暖房運転とを同時に行う場合を例に挙げて、図５に基づいて説明する。
運転制御手段Ｄは、図５中太線にて示すように、上水の圧力を用いて、第５流路部位Ｒ５及び第６流路部位Ｒ６によって、貯湯タンク２の上部から取り出した湯水を補助加熱装置３を通過させ、補助加熱装置３を通過した湯水の一部を給湯栓４に供給するとともに、第２循環ポンプＰ２を作動させて、補助加熱装置３を通過した湯水を第７流路部位Ｒ７に供給するように第３三方弁Ｈ３を切り換え、補助加熱装置３を通過した湯水の残りの一部を第１熱消費用熱交換器５ａに循環供給している。
【００５５】
このとき、運転制御手段Ｄは、補助加熱装置３を補助加熱作動させるのであるが、貯湯タンク２に給湯設定温度以上の湯水が存在する場合には、補助加熱装置３による目標加熱温度を第２目標温度（暖房用の第２目標温度）よりも低温側で且つ第１目標温度以上に設定する低温側設定制御を行うように構成されている。つまり、運転制御手段Ｄは、第１〜第４サーミスタＴ１〜Ｔ４の検出情報から貯湯タンク２の湯水がどのような温度であるかを把握している。そして、運転制御手段Ｄは、例えば、第１サーミスタＴ１の検出温度が給湯設定温度以上であると、貯湯タンク２に給湯設定温度以上の湯水が存在すると判別しており、逆に、第１サーミスタＴ１の検出温度が給湯設定温度未満であると、貯湯タンク２に給湯設定温度以上の湯水が存在しないと判別している。運転制御手段Ｄは、貯湯タンク２に給湯設定温度以上の湯水が存在すると判別すると、補助加熱装置３による目標加熱温度を第２目標温度（暖房用の第２目標温度）よりも低温側で且つ第１目標温度以上に設定する低温側設定制御を行う形態で給湯運転と暖房運転とを同時に行い、貯湯タンク２に給湯設定温度以上の湯水が存在しないと判別すると、補助加熱装置３による目標加熱温度を第２目標温度（暖房用の第２目標温度）に設定して給湯運転と暖房運転とを同時に行っている。
【００５６】
以下、運転制御手段Ｄによる低温側設定制御について、図６及び図７のフローチャートに基づいて説明を加える。
給湯栓４に湯水を供給する給湯運転と暖房運転とを同時に行う場合として、暖房運転の実行中に給湯運転を開始して給湯運転と暖房運転とを同時に行う場合と、逆に、給湯運転の実行中に暖房運転を開始して給湯運転と暖房運転とを同時に行う場合とがある。
【００５７】
図６に示すように、暖房運転の実行中に給湯運転を開始して給湯運転と暖房運転とを同時に行う場合（ステップ＃１、２）には、運転制御手段Ｄが、低温側設定制御において、給湯運転の実行中、補助加熱装置３による目標加熱温度を第１目標温度に設定する（ステップ＃３、＃４）。そして、運転制御手段Ｄは、この低温側設定制御において、補助加熱装置３による目標加熱温度を第２目標温度よりも低温側の第１目標温度に設定した状態が設定継続時間（例えば、５〜１０分）継続されると、補助加熱装置３による目標加熱温度を第２目標温度（暖房用の第２目標温度）に変更設定する（ステップ＃５、＃６）。
【００５８】
このようにして、運転制御手段Ｄは、まず、補助加熱装置３による目標加熱温度を第１目標温度に設定することで、貯湯タンク２の給湯設定温度以上の湯水を、補助加熱装置３にて加熱することなく、或いは、補助加熱装置３にて加熱しても第２目標温度（暖房用の第２目標温度）のような高い温度まで加熱することなく、給湯栓４に供給することができる。したがって、補助加熱装置３にて無駄に第２目標温度（暖房用の第２目標温度）のような高い温度まで加熱することを防止することができ、貯湯タンク２の湯水を有効に活用して、給湯栓４に給湯設定温度の湯水を供給することができる。このように、補助加熱装置３による目標加熱温度を第１目標温度に設定する低温側設定制御を行っても、暖房運転がある程度大きな熱容量で熱応答性の小さい暖房端末を受熱体としているので、暖房運転において比較的短時間（例えば、２〜５分）となる給湯運転用である第１目標温度を補助加熱装置３による目標加熱温度として使用しても、暖房運転に与える影響が小さいものとなる。しかしながら、補助加熱装置３による目標加熱温度を第１目標温度に設定すると、第１熱消費用熱交換器５ａに供給される湯水の温度が低下することになるので、補助加熱装置３による目標加熱温度を第１目標温度に設定した状態が長時間継続されると、暖房端末９に供給される熱媒体の温度が低下して、暖房端末９での暖房を適切に行えなくなる可能性がある。そこで、運転制御手段Ｄは、低温側設定制御において、補助加熱装置３による目標加熱温度を第１目標温度に設定した状態が設定継続時間（例えば、５〜１０分）継続されると、補助加熱装置３による目標加熱温度を第２目標温度（暖房用の第２目標温度）に変更設定して、第１熱消費用熱交換器５ａに供給される湯水の温度を第２目標温度（暖房用の第２目標温度）とし、暖房端末９に供給される熱媒体の温度低下を防止して、暖房端末９での暖房を適切に行えるようにしている。
【００５９】
図７に示すように、給湯運転の実行中に暖房運転を開始して給湯運転と暖房運転とを同時に行う場合（ステップ＃１１、１２）には、運転制御手段Ｄが、低温側設定制御において、補助加熱装置３による目標加熱温度を第２目標温度（暖房用の第２目標温度）に設定したのち設定時間（例えば、５〜１０分）が経過すると、補助加熱装置３による目標加熱温度を第１目標温度に変更設定している（ステップ＃１３〜１５）。
【００６０】
このようにして、運転制御手段Ｄは、まず、補助加熱装置３による目標加熱温度を第２目標温度（暖房用の第２目標温度）に設定して、暖房端末９に供給される熱媒体の温度低下を防止して、暖房端末９での暖房を適切に行えるようにしている。そして、運転制御手段Ｄは、設定時間が経過することで、補助加熱装置３による目標加熱温度を第１目標温度に設定して、貯湯タンク２の給湯設定温度以上の湯水を、補助加熱装置３にて加熱することなく、或いは、補助加熱装置３にて加熱しても第２目標温度のような高い温度まで加熱することなく、給湯栓４に供給することができる。したがって、補助加熱装置３にて無駄に第２目標温度（暖房用の第２目標温度）のような高い温度まで加熱することを防止することができ、貯湯タンク２の湯水を有効に活用して、給湯栓４に給湯設定温度の湯水を供給することができる。
【００６１】
図示は省略するが、図７のフローチャートにおいて、補助加熱装置３による目標加熱温度を第１目標温度に設定したのち、図６のフローチャートと同様に、運転制御手段Ｄは、その補助加熱装置３による目標加熱温度を第１目標温度に設定した状態が設定継続時間（例えば、５〜１０分）継続されると、補助加熱装置３による目標加熱温度を第２目標温度（暖房用の第２目標温度）に変更設定することもできる。また、補助加熱装置３による目標加熱温度を第１目標温度に設定したのち、図６のフローチャートと同様に、運転制御手段Ｄは、給湯運転の実行中、補助加熱装置３による目標加熱温度を第１目標温度に設定し、給湯運転が停止されると、補助加熱装置３による目標加熱温度を第２目標温度（暖房用の第２目標温度）に変更設定することもできる。
【００６２】
上述のように、給湯運転と熱消費運転とを同時に行う場合として、図５に基づいて、給湯栓４に湯水を供給する給湯運転と暖房運転とを同時に行う場合を例示したが、例えば、給湯栓４に湯水を供給する給湯運転と追焚運転とを同時に行う場合においても、上述の場合と同様に、運転制御手段Ｄは、貯湯タンク２に給湯設定温度以上の湯水が存在する場合には、補助加熱装置３による目標加熱温度を第２目標温度（追焚用の第２目標温度）よりも低温側で且つ第１目標温度以上に設定する低温側設定制御を行うことができる。
また、給湯運転についても、給湯栓４に湯水を供給する給湯運転に限らず、浴槽１０に湯水を供給する給湯運転としてもよい。この場合、浴槽１０にて要求されている湯水の供給量が水位センサ１２の検出情報等に基づいて求めることができるので、運転制御手段Ｄは、第１〜第４サーミスタＴ１〜Ｔ４の検出情報に基づいて、貯湯タンク２の給湯設定温度以上の湯水の貯湯量を求め、その求めた貯湯量にて浴槽１０にて要求されている湯水の供給量の一部或いは全てを賄うことができるか否かを判別し、賄える場合には貯湯タンク２に給湯設定温度以上の湯水が存在すると判別して低温側設定制御を行い、賄えない場合には貯湯タンク２に給湯設定温度以上の湯水が存在しないと判別して補助加熱装置３による目標温度を第２目標温度に設定することができる。
【００６３】
〔第２実施形態〕
この第２実施形態は、上記第１実施形態において運転制御手段Ｄによる低温側設定制御の制御内容についての別実施形態である。その他の構成については、上記第１実施形態と同様であるので、運転制御手段Ｄによる低温側設定制御の制御内容のみ説明を加え、その他の構成については説明を省略する。
【００６４】
上記第１実施形態では、運転制御手段Ｄが、低温側設定制御において、補助加熱装置３による目標加熱温度について、第２目標温度よりも低温側で且つ第１目標温度以上の温度として、第１目標温度に設定しているが、この第２実施形態では、運転制御手段Ｄが、低温側設定制御において、補助加熱装置３による目標加熱温度について、第１目標温度と第２目標温度との間の温度に設定している。例えば、第１目標温度と第２目標温度との間の温度であって、第１目標温度よりも設定温度だけ高い温度を第３目標温度として設定する。そして、上記第１実施形態において、図６のステップ＃４の「第１目標温度に設定」を「第３目標温度に設定」に変更するとともに、図７のステップ＃１５の「第１目標温度に設定」を「第３目標温度に設定」に変更することで、運転制御手段Ｄは、低温側設定制御において、補助加熱装置３による目標加熱温度について、第２目標温度よりも低温側で且つ第１目標温度以上の温度として、第３目標温度に設定する。
【産業上の利用可能性】
【００６５】
本発明は、熱供給装置の排熱にて加熱された湯水を貯湯タンクに貯湯自在な貯湯手段と、前記貯湯タンクの湯水を補助加熱装置を通過させ、その通過後の湯水に対して水を混合可能な状態で給湯利用箇所に供給自在な給湯手段と、同一の補助加熱装置にて加熱された湯水を熱消費用熱交換器に循環供給自在な熱消費循環供給手段と、前記補助加熱装置の加熱作動、並びに、前記給湯手段及び前記熱消費循環供給手段の作動を制御する運転制御手段とが備えられ、給湯運転と熱消費運転とを同時に行う際に、貯湯タンクに貯湯されている湯水を有効に活用して、省エネ性の向上を図りながら、給湯利用箇所への給湯及び熱消費部等での熱消費を行うことができる各種の熱供給設備に適応可能である。
【符号の説明】
【００６６】
１        熱供給装置
２        貯湯タンク
３        補助加熱装置
４        給湯利用箇所（給湯栓）
５        熱消費用熱交換器
１０      給湯利用箇所（浴槽）
Ａ        貯湯手段
Ｂ        給湯手段
Ｃ        熱消費循環供給手段
Ｄ        運転制御手段
【図１】
0005541999.tif 000002
【図２】
0005541999.tif 000003
【図３】
0005541999.tif 000004
【図４】
0005541999.tif 000005
【図５】
0005541999.tif 000006
【図６】
0005541999.tif 000007
【図７】
0005541999.tif 000008